(57)【要約】      （修正有）【課題】買物客が、買物籠を持参し買物する際、長尺大型商品を含む商品や購入商品の量が増した場合に、ある程度の範囲内で増えた購入商品を入れることが出来、購入した商品が丸見えの状態を回避し、保温保冷効果があり、商品を持ち帰るのにイメージの良い買物籠に見える取り付けが容易な買物籠カバーを提供する。【解決手段】買物籠１０１の貫通孔１０１Ｃを利用してカバー本体１を買物籠１０１に係止するカバー本体係止部３と、開口部カバー２をカバー本体１または買物籠１０１に係止するために空隙４Ｂ及び開口部カバー２への接続手段４Ｃを有した開口部カバー係止部４から構成される。【選択図】図６
2015066393.tif 000002
【特許請求の範囲】
【請求項１】
底面から上方に向かって矩形状の開口面を有した略直方体形状で、底面に接し開口面に向かう四面のうち対向する二面に貫通孔を有した買物籠に使用するものであって、
底面及び底面に接し開口面に向かう四面の外側を覆い略矩形状の開口部を有した略直方体形状のカバー本体と、
開口部を覆う略矩形状で、片端が貫通孔を有した面を覆うカバー本体の面に接続され、反対の端に別の貫通孔を有する面を覆うカバー本体の面への接続手段を有した開口部カバーと、
貫通孔を貫通する平板形状で、片端を開口部カバーが接続されたカバー本体の面に接続し、反対の端に開口部カバーが接続されたカバー本体の面への接続手段を有したカバー本体を買物籠に係止するカバー本体係止部と、
カバー本体係止部を設けた面に対向するカバー本体の面に設けた、開口部カバーをカバー本体または買物籠に係止する開口部カバー係止部から構成され、
カバー本体、開口部カバー、カバー本体係止部及び開口部カバー係止部は断熱性機能を有することを特徴とする買物籠カバー。
【請求項２】
開口部カバー係止部は、片端がカバー本体に接続された弾性を有する平板形状で、平板形状と買物籠との間に空隙を有することを特徴とする、請求項１に記載の買物籠カバー。
【請求項３】
開口部カバー係止部は平板形状のカバー本体に接続された端と反対の端に、開口部カバーが有する別の貫通孔を有する面を覆うカバー本体の面への接続手段に対応した、接続手段を有することを特徴とする、請求項２に記載の買物籠カバー。
【請求項４】
買物籠の底面に接し開口面に向かう四面のうち対向する二面を覆う本体カバーの面は、屈曲可能な素材によりマチを有したことを特徴とする、請求項１から３のいずれか１項に記載の買物籠カバー。
【発明の詳細な説明】
【技術分野】
【０００１】
本発明は、買物籠に装着する買物籠用カバーに関するものである。
【背景技術】
【０００２】
近年、ゴミの減量化およびＣＯ２排出量削減が提唱され、スーパーマーケットなどの店舗に於いては、従来、買物客に対して、商品を入れるレジ袋（いわゆるビニール袋）を無償で配布していたが、できる限りこのような袋を使用しないように種々の方策が検討されている。この一方策として、買物籠（例えば、プラスチック製の買物用バスケット）を、そのまま買物客に自宅まで持ち帰ってもらうマイ籠や自分用の買物バッグをマイバッグとして、持参をするよう国や地域、環境団体等で盛んに呼び掛けられるようになっている。かかるマイ籠、マイバッグを持参するには、店舗側にとっては、レジ袋を提供する必要がなく、コストの削減が出来る。他方、買物客側にとっては、精算後に、買物籠から袋へ商品を入れ替える必要がなく、双方にとってメリットがある。また、地球環境に於いては、ゴミの削減、ＣＯ２削減となり、環境負荷を軽減出来る。
【０００３】
特許第３５４７７０５号（特許文献１）に記載される買物かごの内面に沿わせて装着しうる形状に形成されたバッグは、買物かご装着時に買物かごの周壁上端縁から外側に折り返され、その先端縁に紐通し部があり、商品をレジに於いて精算を終えた後に、紐通し部に装着された開閉用紐を絞ることによってバッグ本体の上端開口部を覆い、そのまま持ち帰ることができるバッグである。
【０００４】
また、特開２００７−０２１１３０号（特許文献２）に開示される発明は、着脱式の天板を買い物カゴの上部に取り付けることで分別収納ができ、買い物は店内のカゴに入れて持ち運びでき、精算のときに開けて使用できる折りたたみ式買い物カゴである。
【０００５】
登録実用新案第３１４５５９２号（特許文献３）に開示される考案は、内面に装着された内袋と、買物籠の外側周囲のカバーと、買物籠の上部を覆うことが出来る開口部カバーを有しており、迅速に開口部を覆うことが可能となった買物籠カバーである。
【先行技術文献】
【特許文献】
【０００６】
【特許文献１】特許第３５４７７０５号公報（第７頁、図１）
【特許文献２】特開２００７−０２１１３０号公報（第３頁、図１）
【特許文献３】登録実用新案第３１４５５９２号公報
【発明の概要】
【発明が解決しようとする課題】
【０００７】
購入商品に目隠しをして衛生的に持ち帰ることが可能（第一課題）で、買物の邪魔になりにくく（第二の課題）、迅速に買物籠の開口部を覆うことができ（第三の課題）、冷凍食品などは出来るだけ外気温の影響を受けずに持ち帰れ（第四の課題）、かつ長尺大型商品を含む商品（第五の課題）や購入商品の量が増した場合に、ある程度の範囲内で増えた購入商品を入れることが可能である（第六の課題）、商品を持ち帰るイメージの良い（第七の課題）入れ物が必要となった。
【０００８】
また、車で自宅まで持ち帰る場合、座席に置いたものがカーブを曲がる際やブレーキを踏んだ際に商品が転倒しにくいことも望まれた。（第八の課題）
【０００９】
それらのことを踏まえ改良した買物籠に外側４側面を布地で覆い装着する開口部カバーに於いては、買物籠を運搬中に布地が買物籠からズレ落ちる状態があり、改善が求められた。（第九の課題）
【００１０】
また、断熱シートからなる内袋の取り付けに於いては、買物籠に貼り付ける方法では、購入者の手を煩わせることになり、面倒と感じられる。（第十の課題）
特許文献１に記載する考案は、買物かご装着時に買物かごの周壁上端縁から外側に折り返したり、紐通し部に装着された開閉用紐を絞る手間が掛かる上、使わない時はかさばるものである。
【００１１】
また、特許文献２に記載する考案は、折りたたみ式である上に着脱式の天板であるため、買い物カゴ自体の重量があり、商品をその中に入れ運ぶとさらに重量が増すという問題がある。（第十一の課題）また、大量に購入した商品が収まりきらない問題もある。
【００１２】
特許文献3に記載する考案は、内袋と買物籠の外側周囲のカバーの装着において、買物籠の持ち手を取り外して装着するとあるため、購入者は買物籠の持ち手の取り外しに腕力及びコツを要し、高齢者や力の弱い女性には負担となる。また、買物籠の持ち手を外す際に破損の恐れも考えられる。（第十二の課題）
【課題を解決するための手段】
【００１３】
前記課題を解決するために、本発明に係る買物籠カバーは以下の手段を有する。
【００１４】
第１の手段として、底面から上方に向かって矩形状の開口面を有した略直方体形状で、底面に接し開口面に向かう四面のうち対向する二面に貫通孔を有した買物籠に使用するものであって、底面及び底面に接し開口面に向かう四面の外側を覆い略矩形状の開口部を有した略直方体形状のカバー本体と、開口部を覆う略矩形状で、片端が貫通孔を有した面を覆うカバー本体の面に接続され、反対の端に別の貫通孔を有する面を覆うカバー本体の面への接続手段を有した開口部カバーと、貫通孔を貫通する平板形状で、片端を開口部カバーが接続されたカバー本体の面に接続し、反対の端に開口部カバーが接続されたカバー本体の面への接続手段を有したカバー本体を買物籠に係止するカバー本体係止部と、カバー本体係止部を設けた面に対向するカバー本体の面に設けた、開口部カバーをカバー本体または買物籠に係止する開口部カバー係止部から構成され、カバー本体、開口部カバー、カバー本体係止部及び開口部カバー係止部は断熱性機能を有することを特徴とする。
【００１５】
第２の手段として、開口部カバー係止部は、片端がカバー本体に接続された弾性を有する平板形状で、平板形状と買物籠との間に空隙を有することを特徴とする。
【００１６】
第３の手段として、開口部カバー係止部は平板形状のカバー本体に接続された端と反対の端に、開口部カバーが有する別の貫通孔を有する面を覆うカバー本体の面への接続手段に対応した、接続手段を有することを特徴とする。
【００１７】
第４の手段として、買物籠の底面に接し開口面に向かう四面のうち対向する二面を覆う本体カバーの面は、屈曲可能な素材によりマチを有したことを特徴とする。
【発明の効果】
【００１８】
第一の課題では、買物籠の開口部をカバー本体で覆うことで、購入商品の目隠しをすることができるとともに汚染も防止できる。
【００１９】
第二の課題では、カバー本体を中央部から折り返した状態で買物籠の側方に垂下したカバー本体を、カバー本体と対面する買物籠の外側面に係止する第１・第２の垂下カバー係止手段を備えたことで、買物の邪魔にならない開口部カバーとすることができ、購入商品を吟味している時などに、垂下したカバー本体の先端部が店舗の床面に接触して汚れの防止となる。
【００２０】
第三の課題では、開口部を覆うには、カバー本体の一端部を引き上げてカバー両端部係止手段の係止を外し、そのままカバー本体の一端部を開口部の他端付近に係止するだけでよく、迅速に開口部を覆うことができ、レジでの清算を迅速に行うことが可能となる。
【００２１】
第四の課題に対しては、買物籠の開口部をカバー本体で覆い、買物籠の断熱機能を有した袋状カバーを買物籠に被せることにより、外気温断熱を講じ、課題が解決できる。買物籠用の開口部カバーとカバー本体との組合せにより前記課題は解決できる。
【００２２】
第五の課題に対しては、カバー本体の一端部を引き上げてカバー係止手段の係止を外し、そのままカバー本体の一端部を開口部の他端付近に係止する。カバー本体が開口部を覆い、買物籠の脇から引き出し可能としたことにより、長尺大型商品でも開口部をカバー本体で覆いつつ安定した状態で持ち帰ることができる。
【００２３】
第六の課題に対しては、カバー本体の一端部を引き上げてカバー係止手段の係止を外し、そのままカバー本体の一端部を開口部の他端付近に係止する。開口部を覆うカバー本体の長さを調節可能としたことにより、購入商品の大きさや数に合わせてカバー本体のゆとりのある長さの範囲で係止位置を調整することができ、課題が解決できる。
【００２４】
第七の課題に対しては、買物籠にカバーを装着することで、デザイン性に優れたものとなる。
【００２５】
第八の課題に対しては、買物籠を使用することにより、手提げ袋状のものと比べ底面が広く安定しているので、転倒がしにくい。
【００２６】
第九、第十、第十二の課題に対しては、買物籠に袋状のカバーを被せて装着し、カバー本体の係止手段により係止することで固定が出来、物籠からズレ落ちる状態の課題を解決し、購入者の手を煩わせることがなくなった。
【００２７】
第十一の課題に対しては、本発明は買物籠カバーであって、カバーしている買物籠はプラスチック製であり、軽量であるため、重いものを入れて持ち運びには最適であり、買物籠自体の重量に於いて、客の負担にならない。
【００２８】
さらに、第十ニの課題に対しては、本発明は前記マイ籠の装着時に置いて、買物籠へカバー本体を被せて簡単に装着が出来るため、手間や腕力及びコツを必要とせず、客の負担にならない。
【図面の簡単な説明】
【００２９】
【図１】本発明に係る買物籠カバーの構成を示す正面方向からの斜視図である。
【図２】本発明に係る買物籠カバーの構成を示す右側面方向からの斜視図である
【図３】本発明に係る買物籠カバーの構成を示す左側面図である。
【図４】本発明に係る買物籠カバーの構成を示す右側面図である。
【図５】本発明に係る買物籠カバーを買物籠に装着した状態を示す正面方向からの斜視図である。
【図６】本発明に係る買物籠カバーを買物籠に装着した状態を示す正面方向の断面図である。
【図７】本発明に係る買物籠カバーのカバー本体を買物籠に係止する方法を説明する図面である。
【図８】本発明に係る買物籠カバーのカバー本体を買物籠に係止する方法を説明する別図面である。
【図９】本発明に係る買物籠カバーの開口部カバーの構成を示す図面である。
【図１０】本発明に係る買物籠カバーの、開口部カバーにより開口部を覆った状態を示す正面方向からの斜視図である。
【図１１】本発明に係る買物籠カバーの、開口部カバーにより開口部を覆った状態を示す正面方向の断面図である。
【図１２】本発明に係る買物籠カバーの、商品が多い場合に開口部カバーにより開口部を覆った状態を示す背面方向からの斜視図である。
【図１３】本発明に係る買物籠カバーの、商品が多い場合に開口部カバーにより開口部を覆った状態を示す正面方向の断面図である。
【図１４】本発明に係る買物籠カバーの素材及び製造方法を説明する図面である。
【発明を実施するための形態】
【００３０】
以下、本発明に係る買物籠カバーの実施の形態を図１〜１４を用いて説明する。
なお、発明を実施するための形態及び図面は、本発明を説明するためのものであり、本発明の範囲を限定するものではない。複数の図面における同一の符号は、同一または相当部分を示す。
【００３１】
最初に本発明に係る買物籠カバーの構成を図１〜４を用いて説明する。
【００３２】
図１は本発明に係る買物籠カバーの構成を示す正面方向からの斜視図、図２は本発明に係る買物籠カバーの構成を示す右側面方向からの斜視図、図３は本発明に係る買物籠カバーの構成を示す左側面図、図４は本発明に係る買物籠カバーの構成を示す右側面図である。
対象となる買物籠１０１は以下の構成である。すなわち、底面１０１Ａから上方に向かって矩形状の開口面１０１Ｂを有し、底面１０１Ａに接し開口面１０１Ｂに向かう四面から構成される略直方体形状であり、握り手１０１Ｆを有する。
四面のうち対向する二面は貫通孔１０１Ｃを有しており、以下、この貫通孔１０１Ｃを有する二面を、貫通孔を有した面１  １０１Ｄ、貫通孔を有した面２  １０１Ｅと称する。
【００３３】
本発明に係る買物籠カバーは、カバー本体１、開口部カバー２、カバー本体係止部３、開口部カバー係止部４から構成される。
【００３４】
カバー本体１は、買物籠１０１の底面１０１Ａ及び底面１０１Ａに接し開口面１０１Ｂに向かう四面の外側を覆い、略矩形状の開口部１Ａを有する略直方体形状である。以下、貫通孔を有した面１（１０１Ｄ）を覆う面を１Ｂ、貫通孔を有した面２（１０１Ｅ）を覆う面を１Ｃと称する。
【００３５】
開口部カバー２は開口部１Ａを覆う略矩形状で、片端が接続箇所２Ａで貫通孔を有した面１を覆う面１Ｂに接続されており垂下係止手段２Ｂ、摘み部２Ｄ、接続手段２Ｅ、先端部２Ｆを有し、接続箇所２Ａと反対の端に接続手段２Ｃを有する。なお、垂下係止手段２Ｂ、接続手段２Ｃ、摘み部２Ｄ、接続手段２Ｅ及び先端部２Ｆの詳細については後述する。
接続手段２Ｃは、開口部カバー２により開口部１Ａを覆った際に、貫通孔を有した面２を覆う面１Ｃへの接続を行うものである。
【００３６】
カバー本体係止部３は貫通孔１０１Ｃを貫通する平板形状で、片端が接続箇所３Ａで貫通孔を有した面１を覆う面１Ｂに接続されており、接続箇所３Ａと反対の端に開口部カバー２が有する接続手段２Ｅに対応する接続手段３Ｂを有する。これによりカバー本体１を買物籠１０１に係止するものである。なお、カバー本体１の買物籠１０１への係止の詳細については後述する。
【００３７】
開口部カバー係止部４は弾性を有する平板形状で、片端が接続箇所４Ａで、貫通孔を有した面１を覆う面１Ｂに対向する貫通孔を有した面２を覆う面１Ｃに接続されており、開口部カバー２をカバー本体１または買物籠１０１に係止するものである。接続箇所４Ａと反対の端に開口部カバー２が有する接続手段２Ｃに対応する接続手段４Ｃを有する。これにより開口部カバー２をカバー本体１に係止するものである。なお、開口部カバー２のカバー本体１または買物籠１０１への係止の詳細については後述する。
【００３８】
次に本発明に係る買物籠カバーの使用方法及び作用を図５〜１３を用いて説明する。
【００３９】
図５は本発明に係る買物籠カバーを買物籠に装着した状態を示す正面方向からの斜視図である。
図５に示すように本発明に係る買物籠カバーを使用するには、購入した商品が入った店舗の買物籠をレジで清算してもらうときに、自らが持参した本発明に係る買物籠カバーを装着した籠１０１をレジ台に載せる。開口部カバー２は図５に示すように、買物籠１０１の左側面に折り返した状態とする。折り返した開口部カバー２は図１、５に示すように、開口部カバー２が有る接続手段２Ｃと垂下係止手段２Ｂにより係止し、商品を入れる前の状態にする。
【００４０】
図６は本発明に係る買物籠カバーを買物籠に装着した状態を示す正面方向の断面図、図７は本発明に係る買物籠カバーのカバー本体を買物籠に係止する方法を説明する図面、図８は本発明に係る買物籠カバーのカバー本体を買物籠に係止する方法を説明する別図面である。
図６〜８に示すようにカバー本体１を買物籠１０１に取り付けた後、カバー本体係止部３を貫通孔１０１Ｃに通し、カバー本体係止部３が有する接続手段３Ｂと開口部カバー２が有する接続手段２Ｅを接続することにより、カバー本体１が買物籠１０１からズレ落ちすることを防止することが出来る。
【００４１】
図９は本発明に係る買物籠カバーの開口部カバーの構成を示す図面である。開口部カバー２は、開口部カバー２の先端の端を折り返し、両端を斜めに切断し、接着することで先端部２Ｆとなる。折り返したことで、素材が２枚重ねとなり、素材の補強となる。
【００４２】
図１０は本発明に係る買物籠カバーの開口部カバーにより開口部を覆った状態を示す正面方向からの斜視図、図１１は本発明に係る買物籠カバーの開口部カバーにより開口部を覆った状態を示す正面方向の断面図である。
図５、６に示す状態から、開口部カバー２を摘み部２Ｄにより引っ張り、垂下係止手段２Ｂと接続手段２Ｃとを離す。図１０、１１に示すように開口部カバー２は開口部１Ａを覆うとともに、カバー本体１または買物籠１０１に係止される。
図１０、１１は引出し線のみで図示していない商品１０２の量が買物籠１０１の縁に到達しない場合を示している。
この場合の係止は、図６に示す空隙４Ｂを設けたことにより行っている。空隙４Ｂは開口部カバー係止部４と買物籠１０１の間に設けた隙間である。開口部カバー２が有する先端部２Ｆが空隙４Ｂに挿入されることにより、貫通孔を有した面２  １０１Ｅ（買物籠１０１）、先端部２Ｆ（開口部カバー２）、開口部カバー係止部４（貫通孔を有した面２を覆う面１Ｃ）が密着することになる。
上記は空隙４Ｂを用いた係止であったが、開口部カバー２が有する接続手段２Ｃと開口部カバー係止部４が有する接続手段４Ｃを接続することにより行ってもよい（図示せず）。
【００４３】
図１２は本発明に係る買物籠カバーの商品が多い場合に開口部カバーにより開口部を覆った状態を示す背面方向からの斜視図、図１３は本発明に係る買物籠カバーの商品が多い場合に開口部カバーにより開口部を覆った状態を示す正面方向の断面図である。
この場合の係止は、開口部カバー２が有する接続手段２Ｃと、これに対応する開口部カバー係止部４が有する接続手段４Ｃとを接続することにより行っており、開口部カバー係止部４が弾性を有することによるものである。
開口部カバー係止部４が弾性を有さない場合、商品１０２が多いと開口部カバー２が開口部１Ａを覆うことが出来ず、開口部カバー２が有する接続手段２Ｃと開口部カバー係止部４が有する接続手段４Ｃが離れてしまうため接続できないことがある。
しかし、開口部カバー係止部４が弾性を有する場合は、接続箇所４Ａから接続手段４Ｃに向かう角度を変えることが出来るため、接続箇所４Ａと接続手段４Ｃを結ぶ最短距離を変えることができる。よって開口部カバー２が有する接続手段２Ｃと開口部カバー係止手段４の接続手段４Ｃとの距離を変えることが可能となり、接続手段２Ｃと接続手段４Ｃとを接続することが可能となる。
本発明に係る買物籠カバーは、図５、６の状態から、商品１０２を買物籠１０１に入れ、開口部カバー２を開口部１Ａに覆い被せ、開口部カバー２を係止した図１０、１１の状態または図１２、１３の状態とすることにより、使用出来る。
【００４４】
次に本発明に係る買物籠カバーの製造方法を図１〜４、９及び１４を用いて説明する。
【００４５】
図１４は本発明に係る買物籠カバーの素材及び製造方法を説明する図面である。
カバー本体１、開口部カバー２、カバー本体係止部３及び開口部カバー係止部４の素材５は断熱性機能を有する。例えば不織布及び樹脂フィルムからなる積層シートがあげられるが、同等の機能を有するものであればこれに限定する必要はない。
図２〜４に示すようにカバー本体１の上部の周囲は、上部折返し溶着５Ａにより素材が解けない縁処理を施す。上部は折返さずに溶着してもよいし、溶着の代わりに縫合でもよい。素材は少なくても２つ必要であり、これら素材５同士を素材間溶着５Ｂにより溶着する。こちらも溶着の代わりに縫合でもよい。
またカバー本体１は図１４に示すように、下部折返し５Ｃを設けることもある。素材５に屈曲可能なものを使用し、この両端辺を溶着する。袋状となった素材５から下部折返し５Ｃを三角に折り上げ、カバー本体１の底の一辺と対向の一片を溶着により袋状にすることで、図２に示すようにマチ５Ｄを有する。なお、これらも溶着の代わりに縫合でもよい。袋上部の縁は折り返して上部折返し溶着５Ａとなる。
屈曲可能な素材としては、例えば不織布及び樹脂フィルムからなる積層シートがあげられるが、同等の機能を有するものであればこれに限定する必要はない。
【００４６】
図９に示す開口部カバー２が有する摘み部２Ｄは、素材５の両端を残し、中央を山に折りし、接着することで立体化させ、開口部カバー２に接着することで製造する。
図２〜４に示すように、開口部カバー２は貫通孔を有した面１を覆う面１Ｂの接続箇所２Ａに、カバー本体係止部３はこれを貫通孔１０１Ｃに通すことが可能な位置である貫通孔を有した面１を覆う面１Ｂの接続箇所３Ａに、開口部カバー係止部４は、カバー本体係止部３に対向し、貫通孔を有した面２を覆う面１Ｃの接続箇所４Ａに、溶着する。
なお、これらも溶着の代わりに縫合でもよい。
また開口部カバー２が有する垂下係止手段２Ｂ、接続手段２Ｃ、接続手段２Ｅ、カバー本体係止部３が有する接続手段３Ｂ、開口部カバー係止部４が有する接続手段４Ｃは、具体的には面ファスナーがあげられるが、お互いの接着対象と接着できる同等の機能を有するものであればこれに限定する必要はない。
【００４７】
最後に本発明に係る買物籠カバーの使用例を説明する。
【００４８】
スーパーマーケット等の店舗において、カートの上段に店舗用買物籠を置き、下段に本発明に係る買物籠カバーを装着した買物籠１０１を図５の状態で置く。または、本発明に係る買物籠カバーを装着した買物籠１０１に店舗用買物籠を重ね、ショッピングをする。
【００４９】
購入したい商品をカート上段の店舗用買物籠に入れ、レジ台に商品の入った店舗用買物籠を置き、レジ係に下段から本発明に係る買物籠カバーを装着した買物籠１０１を取り出す。または店舗用買物籠を本発明に係る買物籠カバーを装着した買物籠１０１に重ねていた場合も、両方を渡すかレジ台に置く。レジ係により、店舗用買物籠から本発明に係る買物籠カバーを装着した買物籠１０１へと商品の移動がなされる。
【００５０】
垂下係止手段２Ａから係止していた接続手段２Ｃを外し、開口部カバー２を買物籠１０１側方に引き出し、図１０、１１のように開口部カバー２を係止する。または、嵩張る商品の場合や品数が多い時は、図１２、１３のように開口部カバー２を係止する。清算を済ませた後は、レジ袋の詰め替えをしなくても直ちに本発明に係る買物籠カバー付き買物籠１０１を持ち帰ることが出来る。
【符号の説明】
【００５１】
１  カバー本体
１Ａ  開口部
１Ｂ  貫通孔を有した面１を覆う面
１Ｃ  貫通孔を有した面２を覆う面
２  開口部カバー
２Ａ  接続箇所
２Ｂ  垂下係止手段
２Ｃ  接続手段
２Ｄ  摘み部
２Ｅ  接続手段
２Ｆ  先端部
３  カバー本体係止部
３Ａ  接続箇所
３Ｂ  接続手段
４  開口部カバー係止部
４Ａ  接続箇所
４Ｂ  空隙
４Ｃ  接続手段
５  素材
５Ａ  上部折返し溶着
５Ｂ  素材間溶着
５Ｃ  下部折返し
５Ｄ  マチ
１０１  買物籠
１０１Ａ  底面
１０１Ｂ  開口面
１０１Ｃ  貫通孔
１０１Ｄ  貫通孔を有した面１
１０１Ｅ  貫通孔を有した面２
１０１Ｆ  握り手
１０２  商品
【図１】
2015066393.tif 000003
【図２】
2015066393.tif 000004
【図３】
2015066393.tif 000005
【図４】
2015066393.tif 000006
【図５】
2015066393.tif 000007
【図６】
2015066393.tif 000008
【図７】
2015066393.tif 000009
【図８】
2015066393.tif 000010
【図９】
2015066393.tif 000011
【図１０】
2015066393.tif 000012
【図１１】
2015066393.tif 000013
【図１２】
2015066393.tif 000014
【図１３】
2015066393.tif 000015
【図１４】
2015066393.tif 000016